(57)【要約】【課題】掻き上げ体を大きく撓み変形させてその掻き上げ能力を向上すること。【解決手段】清掃具１０であって、フレーム１５に掻き上げ体１６と並べて回転体１８を回動自在に支持し、掻き上げ体１６と回転体１８の上に粘着ロール２１を並べて回動自在に配置するとともに、床面に接して抵抗を発生させる抵抗発生部６０をフレーム１５の下部に備えたもの。【選択図】　図１
2004008415.tif 000002
【特許請求の範囲】
【請求項１】
フレームに掻き上げ体と並べて回転体を回動自在に支持し、前記掻き上げ体と回転体の上に粘着ロールを並べて回動自在に配置するとともに、
床面に接して抵抗を発生させる抵抗発生部をフレームの下部に備えた清掃具。
【請求項２】
前記抵抗発生部が前進時には床面上のゴミを掻き集め、後進時には抵抗なく床面上を滑るように構成された請求項１に記載の清掃具。
【請求項３】
前記抵抗発生部が掻き上げ体の方に向けて前傾した立毛からなる請求項２に記載の清掃具。
【発明の詳細な説明】
【０００１】
【発明の属する技術分野】
本発明は清掃具に関する。
【０００２】
【従来の技術】
清掃具として、特公昭５１−３１４５８号公報に記載の如く、フレームに前後一対の回転体を支持するとともに、両回転体の間に掻き上げ体を回動自在に支持し、フレームにおける掻き上げ体の両側に前後の塵取部を設けてなるものがある。また、フレームの下部の掻き上げ体を挟む両側に床面に接する傾斜状立毛からなる前後のクッションを設け、両クッションの立毛の先端を掻き上げ体の方に向けて前傾させている。この清掃具によれば、床面上の大きなゴミは、掻き上げ体によって掻き上げて塵取部へ送り込む。また、床面上の小さなゴミや毛羽は、清掃具の前進時に一方のクッションの立毛に掻き取り、掻き取ったゴミの塊をその後の後進時に該立毛から床面上に外し、立毛から外された塊状のゴミを床面上から掻き上げ体によって掻き上げて塵取部へと送り込む。
【０００３】
【発明が解決しようとする課題】
▲１▼掻き上げ体は、両側に前後の回転体と前後のクッションを備えていて、床面との接触によってもそれら回転体等と無関係に沈み込んで大きく撓み変形する如くがなく、掻き上げ体の撓み変形の復元力による掻き上げ能力の増強に限界がある。
【０００４】
▲２▼床面上の小さなゴミをクッションの立毛によって塊状に集めることはできても、この塊が掻き上げ体に突き刺さったときにはこれを掻き上げ体に保持し続けるため塵取部へと送り込むことができず、清掃効果を発揮できない。
【０００５】
本発明の課題は、掻き上げ体を大きく撓み変形させてその掻き上げ能力を向上させることにある。
【０００６】
本発明の他の課題は、床面上の大きなゴミも小さなゴミも完全に捕捉することにある。
【０００７】
【課題を解決するための手段】
請求項１の発明は、フレームに掻き上げ体と並べて回転体を回動自在に支持し、前記掻き上げ体と回転体の上に粘着ロールを並べて回動自在に配置するとともに、床面に接して抵抗を発生させる抵抗発生部をフレームの下部に備えた清掃具である。
【０００８】
【発明の実施の形態】
清掃具１０は、図１に示す如く、柄１１の先端部に継手部１２を介して支持アーム１３を左右方向に揺動自在に結合し、支持アーム１３の両側アーム部１３Ａに支軸部１４を介してフレーム１５を前後方向に揺動自在に支持している。
【０００９】
フレーム１５の前部にはブラシからなる可撓掻き上げ体１６が回転軸１７を介して回動自在に支持され、フレーム１５の後部にはロール体からなる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）はタイヤ部１６Ｂのタイヤ径より大きい。接触回転体１８は、ロール状の接触部１８Ａとタイヤ部１８Ｂからなり、接触部１８Ａの外径よりタイヤ部１８Ｂの外径を大きくし、両側タイヤ部１８Ｂを後述する塵取部２３の両外側にて床面上を転動可能にし、接触部１８Ａを塵取部２３の内側に配置させる。このような配置により、接触部１８Ａが塵取部２３により床から遮断され、床側の毛羽等が接触部１８Ａに付着することを防止する。タイヤ部１８Ｂは塵取部２３の外に位置する。尚、接触回転体１８の接触部１８Ａには、その表面に凹凸部を設けても良い。凹凸部とは、接触部１８Ａのロール表面に存在するリブや凸部、凹部、しぼ面等をいう。
【００１０】
掻き上げ体１６と接触回転体１８の上には、それらに跨がるように粘着ロール２１が乗せられ、粘着ロール２１は接触回転体１８の回転に連れ回る。フレーム１５の上部は粘着ロール２１の出し入れ口とされ、取外し可能な透明カバー１５Ａにより被覆される。粘着ロール２１は、粘着シートを巻取った巻取りロールからなる構成の他、表面が粘着性のエラストマーからなり、その表面を洗浄して再使用可能とするロールからなる構成等でも良い。本実施例の粘着ロール２１は、粘着シート２１Ａをコア２１Ｂに巻き回し、粘着シート２１Ａの粘着面を外側に向けて巻出し可能かつ切断可能にした巻取りロールである。
【００１１】
フレーム１５における掻き上げ体１６の後部には塵取部２３が、後述する如く、フレーム１５の係脱部５０に支持されている。塵取部２３は、床面に接する底面部２３Ａと、掻き上げ体１６に隙間なく（又は隙間を介して）相対する曲面状（又は平面状）のすくい面部２３Ｂと、すくい面部２３Ｂより下がった位置にある、凹状のゴミ受け部２３Ｃを有する。更に塵取部２３は前述の如く接触回転体１８の接触部１８Ａを床から遮断するように配置されている。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはゴミ受け部２３Ｃに送り込む。
【００１２】
清掃具１０による清掃動作は以下の通りなされる。
（１）柄１１の軸方向に加える操作力により清掃具１０を前進させ、掻き上げ体１６及び接触回転体１８を回動させ、同時に粘着ロール２１を連れ回り回転させる。
【００１３】
（２）掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００１４】
（３）粘着ロール２１の粘着面に捕捉されたゴミは、粘着ロール２１の回動とともに接触回転体１８の側に移動し、接触回転体１８により粘着ロール２１の粘着面に押付けられて固定化される。
【００１５】
（４）透明カバー１５Ａから粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００１６】
尚、清掃具１０は前進だけでなく、後進もできる。塵取部２３は、底面部２３Ａの尾端部をアール状に跳ね上げ、後進時にこの尾端部が床面に引掛かるのを防止する。
【００１７】
上記清掃具１０によれば、カーペットは掻き上げ体１６によりゴミを掻き上げられ、このゴミをその後粘着ロール２１に吸着捕捉される。粘着ロール２１がカーペットに直接接触しないから、カーペットを傷めることがない。掻き上げ体１６によりカーペットの繊維の深い部分に沈んでいるゴミも捕捉できるし、粘着ロール２１の粘着性能の持続性も向上する。
【００１８】
また、フローリングにおいても、カーペットと同様であり、粘着ロール２１がフローリングに直接接触しないから、粘着ロール２１がフローリングに強力に粘着して固定化してしまうことがない。
【００１９】
以下、フレーム１５による塵取部２３の支持構造について説明する（図１）。
塵取部２３をフレーム１５に対し、掻き上げ体１６とは独立に上下に揺動可能に支持するとともに、塵取部２３のゴミ受け部２３Ｃをフレーム１５から開放可能に支持した。
【００２０】
具体的には、図１に示す如く、塵取部２３における掻き上げ体１６に近い側の前端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後端に設けた係脱部５０の孔５１を、フレーム１５に設けた係脱可能ピン５２に係脱可能にし、孔５１を係脱可能ピン５２から外して塵取部２３の後端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００２１】
更に、図１に示す如く、塵取部２３の前縁２３Ｄの両端に、床面に対し前方上方に反り上がる反り板状ガイドシュー２３Ｅを備える。ここでガイドシュー２３Ｅは床面と面接触し、すくい面部２３Ｂを有さない。塵取部２３の前縁２３Ｄにおいて、両端のガイドシュー２３Ｅに挟まれる部分は、すくい面部２３Ｂの床面側のエッジ（最下端部）を形成し、フローリングや畳の床面に隙間なく摺接する。
【００２２】
従って、清掃具１０を毛足の長いカーペットに使用したとき、掻き上げ体１６がカーペットの毛足の中に潜ってゴミを掻き上げるように、掻き上げ体１６をカーペットの毛足に対して押付ける状態で前進させても、塵取部２３は両端のガイドシュー２３Ｅがカーペットの毛足にのって浮き上がり、塵取部２３の前縁２３Ｄがカーペットの毛足の中に突き刺さって前進の抵抗になることを回避し、スムーズに前進できるため操作性が良い。また、塵取部２３は、前縁２３Ｄの両端だけを床面に対し反り上がるガイドシュー２３Ｅとしており、前縁２３Ｄのガイドシュー２３Ｅに挟まれる部分は床面に隙間なく接する。従って、カーペット以外のフローリングや畳の清掃時にも、塵取部２３の前縁２３Ｄは床面に隙間なく接し、掻き上げ体１６の掻き上げ部１６Ａが掻き上げるゴミを床面に沿う後方に逃すことなく、その全てのゴミを捕捉できる。
【００２３】
また、清掃具１０にあっては、図１に示す如く、フレーム１５に支持した塵取部２３の底面部２３Ａに、カーペット等の床面に摺接して抵抗を発生させる抵抗発生部６０を備える。抵抗発生部６０は、図２に示す如く、塵取部２３の底面部２３Ａで、柄１１の支軸部１４を通る軸が塵取部２３に交差する部位を挟む、掻き上げ体１６の反対側において、横に長い矩形状の四辺６１により囲まれる凹所６２に埋設される。四辺６１は、図２（Ｂ）に示す如く、塵取部２３の底面部２３Ａにおいて周辺の平面に対し僅かに凸条をなす。
【００２４】
抵抗発生部６０は、帯状布６０Ａに多数の傾斜状立毛６０Ｂを植毛してなり、布６０Ａを塵取部２３の底面部２３Ａの凹所６２に接着等によって固着し、立毛６０Ｂを凹所６２の外に突出させる。立毛６０Ｂは金属、プラスチック等の弾性体からなり、例えば線径０．０５ｍｍのナイロン（登録商標）を採用できる。このとき、抵抗発生部６０は、立毛６０Ｂの先端を掻き上げ体１６の方に向けて前傾させ、清掃具１０の前進時には床面上のゴミを掻き集め、後進時には抵抗なく床面上を滑るように構成される。
【００２５】
本実施形態によれば以下の作用がある。
（請求項１に対応する作用）
▲１▼清掃具１０は、フレーム１５の下部に備えた抵抗発生部６０が床面からの抵抗を受けながら前進し、これによって発生する抵抗力がフレーム１５にモーメントＭを及ぼし、このモーメントが掻き上げ体１６を床面に強く押し付け、掻き上げ体１６のブラシを床面に対し沈み込ませて大きく撓み変形させる。これにより、掻き上げ体のブラシは大きな撓み変形の復元力に起因する大きな掻き上げ能力を生成し、床面上のゴミを後方の塵取部２３や粘着ロール２１に強力に掻き上げ、ゴミの捕捉性を向上する。
【００２６】
▲２▼床面上の大きなごみａは、掻き上げ体１６のブラシによって掻き上げられて塵取部２３へ送り込まれる（図３（Ａ））。長い髪の毛ｂ等は、掻き上げ体１６のブラシにからんで掻き上げられ、粘着ロール２１の粘着力により吸着捕捉される（図３（Ａ））。
【００２７】
（請求項２、３に対応する作用）
▲３▼床面上の毛くず、ペットの毛羽等の小さなごみｃは、清掃具１０の前進時に抵抗発生部６０の前傾立毛６０Ｂに掻き取られて塊状になる（図３（Ａ））。広い床面に分散している小さなゴミを、抵抗発生部６０によって掘り起こす如くにし、塊状にまとめるものとなる。そして、続く後進時に、塊状のゴミは前傾立毛６０Ｂから図３（Ｂ）にｃ１として示す如くに外された後、床面上から掻き上げ体１６のブラシにｃ２として示す如くに突き刺さり、該掻き上げ体１６の逆転に乗ってｃ３として示す如くに粘着ロール２１の側に運ばれ、ひいては粘着ロール２１の粘着力によりｃ４として示す如くに吸着捕捉される。
【００２８】
尚、上述▲３▼で抵抗発生部６０の前傾立毛６０Ｂから床面上に外された後、掻き上げ体１６の逆転に乗って粘着ロール２１の側に運ばれることなく、該粘着ロール２１に吸着捕捉されなかったゴミの塊は、続く前進時に、掻き上げ体１６のブラシによって床面上から掻き上げられて塵取部２３に送り込まれる。
【００２９】
本発明で使用される粘着ロールとして、コアロールに筒状シートを着脱可能に被せるものを使用しても良い。このとき、筒状シートの原形は、枚葉型の封筒状シートをなすものとし、多数の封筒状シートを互いに積層して保管することができる。
【００３０】
また、本発明において、掻き上げ体は、ブラシに限らず、スポンジ、ゴムブレード、エラストマー、弾性突起体等でも良い。
【００３１】
また、本発明において、接触回転体は、ロール体に限らず、タイヤ等でも良い。
【００３２】
また、本発明において、床面とは、畳、フローリング、カーペット等で、特にカーペットに対し顕著で特有な効果を奏する。
【００３３】
また、本発明において、抵抗発生部は立毛に限らず、ゴム板等であっても良い。
【００３４】
【発明の効果】
以上のように本発明によれば、掻き上げ体を大きく撓み変形させてその掻き上げ能力を向上することができる。また、本発明によれば、床面上の大きなゴミも小さなゴミも完全に捕捉することができる。
【図面の簡単な説明】
【図１】図１は清掃具を示す側面図である。
【図２】図２は清掃具に設けた抵抗発生部を示す模式図である。
【図３】図３は清掃具のゴミ捕捉動作を示す模式図である。
【符号の説明】
１０　清掃具
１５　フレーム
１６　掻き上げ体
１８　回転体
２１　粘着ロール
６０　抵抗発生部
６０Ｂ　立毛
【図１】
2004008415.tif 000003
【図２】
2004008415.tif 000004
【図３】
2004008415.tif 000005